(57)【要約】【課題】待機中のディスクの移動を抑えることができるディスク装置を提供する。【解決手段】ディスク１２を上下移動して所望のディスク１２の下側に作業空間Ｓを設け、回動アーム３０を所定位置に位置決めした後、所望のディスク１２を回動アーム３０にセットして記録再生を行う。この際、所望のディスク１２より下側にある待機ディスク１２Ａは、作業空間Ｓの下方にあって外周面にディスク固定部７０の押圧部材７１を押し付けることにより固定する。【選択図】図７
2006202385.tif 000002
【特許請求の範囲】
【請求項１】
ディスクを個別に載置可能で積層配置されたトレイを複数備えるディスク装置であって、
前記複数のトレイを積層方向に移動させるトレイ移動部と、
積層方向上方又は下方の少なくとも一方に待機している待機ディスクを固定するディスク固定部と、を備え、
前記ディスク固定部は、前記待機ディスクの外周面を押圧する押圧部材を含むディスク装置。
【請求項２】
請求項１記載のディスク装置であって、
前記押圧部材は、樹脂で形成された片持ちばねであるディスク装置。
【請求項３】
請求項１又は２記載のディスク装置であって、
さらに、前記積層方向の所定の位置に移動された前記トレイに載置された前記ディスクを保持するとともに、前記ディスクの記録又は再生を行うための作業を行う作業空間を形成するディスクホルダ部を備え、
前記ディスクホルダ部は、外周面に第１のカム溝を有し回転する全体円筒形状の回転部と、前記回転部の外側にあって内周面に設けられたカム突起により前記第１のカム溝にしたがって回転可能かつ上下移動可能に設けられるとともに外周面に第２のカム溝及びディスクに当接する上ホルダ部を有する上側ホルダと、前記上側ホルダの下側にあって内周面に設けられたカム突起により前記第１のカム溝にしたがって回転可能かつ上下移動可能に設けられるとともに外周面に第３のカム溝及びディスクに当接する下ホルダ部を有する下側ホルダと、ディスク装置の筐体側に固定され前記第２のカム溝及び前記第３のカム溝に係合する２つのカム突起を有する固定体を含み、
前記押圧部材は、前記下側ホルダ又は前記上側ホルダの少なくとも一方の外周に設けられるディスク装置。
【請求項４】
請求項１ないし３のいずれか１項記載のディスク装置であって、
前記押圧部材は、前記トレイの外周部を押圧するディスク装置。
【請求項５】
請求項１ないし４のいずれか１項記載のディスク装置であって、
さらに、前記待機ディスクの保持穴を固定する保持穴固定部を備えるディスク装置。
【請求項６】
請求項５記載のディスク装置であって、
前記保持穴固定部は、前記ディスクの保持穴に挿通可能な柱体と、前記柱体の外周面から突出して前記保持穴の内周面に圧接する固定部材とを備えるディスク装置。
【発明の詳細な説明】
【技術分野】
【０００１】
本発明は、ディスクを個別に載置可能で積層配置されたトレイを複数備えるディスク装置に関するものである。
【背景技術】
【０００２】
従来より、複数枚の光ディスク等のディスクを装置の本体内部に収納しておき、所望のディスクを選択して記録再生する多連奏型のディスク装置が開発されている（例えば特許文献１、２参照）。
【０００３】
このような多連装型のディスク装置においては、所望のディスクが選択されたら、このディスクに対して記録再生を行うための作業空間を形成する。そして、ディスクを回転させるターンテーブル及び記録再生を行う光ピックアップを作業空間に挿入するために、ターンテーブル及び光ピックアップを備えた回動アームを回動させて作業空間に挿入する。
【０００４】
その際、記録再生を行うディスク以外のディスクは、各々トレイ上に載置されており、振動によりトレイ上で移動する場合がある。トレイ上の移動は、騒音を発生したり、記録再生中のディスク記録再生動作に影響を与えたり、さらには移動中にディスクの記録再生面にキズを生じさせたりする可能性もある。
【０００５】
【特許文献１】特開平１１−４５４９０号公報
【特許文献２】特開２００１３５０６０号公報
【発明の開示】
【発明が解決しようとする課題】
【０００６】
本発明は、上記事情に鑑みてなされたもので、待機中のディスクの移動を抑えることができるディスク装置を提供することを目的とする。
【課題を解決するための手段】
【０００７】
本発明のディスク装置は、ディスクを個別に載置可能で積層配置されたトレイを複数備えるディスク装置であって、前記複数のトレイを積層方向に移動させるトレイ移動部と、積層方向上方又は下方の少なくとも一方に待機している待機ディスクを固定するディスク固定部と、を備え、前記ディスク固定部は、前記待機ディスクの外周面を押圧する押圧部材を含むものである。
【０００８】
この構成により、所望のディスクを回動アームにセットして記録再生を行う際、待機ディスクは、外周面にディスク固定部の押圧部材を押し付けることによりにより固定されるので、移動が抑えられる。したがって、待機ディスクの振動を防止することができ、待機ディスクの振動に伴う騒音の発生を防止することができると共に記録再生動作のミスを防止することができる。
【０００９】
また、本発明のディスク装置は、前記押圧部材が、樹脂で形成された片持ちばねであるものを含む。
【００１０】
この構成により、押圧部材をディスクの外周面に押し付けるバネとして樹脂バネを用いることにより、押圧部材を一体的に形成することができ、装置の簡易化を図ることができる。
【００１１】
また、本発明のディスク装置は、さらに、前記積層方向の所定の位置に移動された前記トレイに載置された前記ディスクを保持するとともに、前記ディスクの記録又は再生を行うための作業を行う作業空間を形成するディスクホルダ部を備え、前記ディスクホルダ部は、外周面に第１のカム溝を有し回転する全体円筒形状の回転部と、前記回転部の外側にあって内周面に設けられたカム突起により前記第１のカム溝にしたがって回転可能かつ上下移動可能に設けられるとともに外周面に第２のカム溝及びディスクに当接する上ホルダ部を有する上側ホルダと、前記上側ホルダの下側にあって内周面に設けられたカム突起により前記第１のカム溝にしたがって回転可能かつ上下移動可能に設けられるとともに外周面に第３のカム溝及びディスクに当接する下ホルダ部を有する下側ホルダと、ディスク装置の筐体側に固定され前記第２のカム溝及び前記第３のカム溝に係合する２つのカム突起を有する固定体を含み、前記押圧部材は、前記下側ホルダ又は前記上側ホルダの少なくとも一方の外周に設けられるものを含む。
【００１２】
この構成により、ディスク固定部を専用に設ける必要がなくなり、装置の簡易化を図ることができる。
【００１３】
本発明のディスク装置は、前記押圧部材が、前記トレイの外周部を押圧するものを含む。
【００１４】
この構成により、ディスクを載置するトレイの振動も抑えることができる。
【００１５】
本発明のディスク装置は、さらに、前記待機ディスクの保持穴を固定する保持穴固定部を備えるものを含む。
【００１６】
この構成により、所望のディスクを回動アームにセットして記録再生を行う際、待機ディスク保持穴をディスク固定部により固定するので、待機ディスクの移動をさらに確実に抑えることができる。
【００１７】
本発明のディスク装置は、前記保持穴固定部が、前記ディスクの保持穴に挿通可能な柱体と、前記柱体の外周面から突出して前記保持穴の内周面に圧接する固定部材とを備えるものを含む。
【００１８】
この構成により、作業空間の下方にある待機ディスクの保持穴をディスク固定部の柱体に通し、固定部材を突出させて保持穴の内周面に圧接することにより、待機ディスクを確実に固定することができる。
【発明の効果】
【００１９】
以上の説明から明らかなように、本発明によれば、待機中のディスクの移動を抑えることができるディスク装置を提供することができる。
【発明を実施するための最良の形態】
【００２０】
以下、本発明の実施の形態について、図面を用いて説明する。
【００２１】
図１に、本発明の実施形態のディスク装置１０を内蔵するカーオーディオ装置１の全体斜視図を示す。このカーオーディオ装置１では、ディスク装置１０のほかにラジオ２、カセットテープ再生装置３等を内蔵しており、前面パネル４には、全機能に共用される表示部４ａや電源／ボリュームつまみ４ｂに加えて、ディスク装置１０におけるディスク挿脱口１１、ラジオ用のチューニングつまみ２ａ、カセットテープ挿入口３ａ等が設けられている。また、内部には、ラジオ２、カセットテープ再生装置３、ディスク装置１０等を制御する制御部（図示せず）が設けられている。
【００２２】
図２及び図３は、カーオーディオ装置１に内蔵されるディスク装置１０の要部上面図であり、図２は待機時を示し、図３は再生時を示す。
【００２３】
図２に示すように、本発明の実施形態のディスク装置１０では、複数のディスク１２を内部に収納可能な本体１３と、この本体１３の内部において各ディスク１２を個別に保持する積層された複数のトレイ２０と、先端にディスク１２を挟持して回転するターンテーブル３１を有しディスク１２に対して記録再生を行う光学ヘッド部３２を移動可能に支持するとともに各トレイ２０の積層方向と平行な支軸３３を中心として回動可能な回動アーム３０とを備えている。また、詳細は後述するが、選択されたディスクの記録又は再生が行われる期間、トレイ２０上で待機している待機ディスクを固定するディスク固定部（図２及び図３では省略）が設けられている。
【００２４】
図２及び図３に示すように、トレイ２０は全体略円盤状であり、中央部に円形の中空部２１が設けられている。したがって、トレイ２０は閉じた円形状であり、剛性を保持することができる。また、トレイ２０の一部は外側に突出して支持部２２を形成しており、軸部２３により別個に上下移動自在に支持されている。
【００２５】
トレイ２０の外周縁には複数箇所に拡幅部２４が設けられており、この拡幅部２４にはエレベータ用貫通穴２４ａが設けられている。そして、このエレベータ用貫通穴２４ａを上下に貫通するように昇降用カム体としてのトレイ昇降用のエレベータカムギヤ５０が設けられている。また、拡幅部２４の外側には全トレイ２０を互いに接する方向に付勢するために最も上のトレイ２０ａと本体１３の底部１３ａとの間にバネ５１（図９（Ｃ）参照）が設けられている。なお、最も上のトレイ２０ａは、ディスク１２を載置するものではなく、最も上のディスク１２を保護するためのものである。また、各トレイ２０には、各トレイ２０間の間隔を一定に保持するためにスペーサ２６（図８参照）が設けられている。
【００２６】
各トレイ２０におけるエレベータカムギヤ５０の近傍には、上下移動するディスク１２の中から記録再生を行う所望のディスク１２を選択して保持するとともに、記録再生を行うための各種作業を行う空間である作業空間Ｓを形成し、作業空間Ｓの所定位置に位置決めするホルダ部６０が設けられている。また、このディスクホルダ部６０に対応してトレイ２０にはディスク把持用切欠き２５が設けられており、このディスク把持用切欠き２５では、トレイ２０に収納されているディスク１２が露出しているため容易にディスク１２を選択することができるようになっている。エレベータカムギヤ５０、バネ５１、ディスクホルダ部６０は、トレイ２０の周囲４箇所に略均等間隔で設けられているが、複数箇所であれば４箇所に限らない。
【００２７】
図２及び図３に示すように、本体１３内部におけるトレイ２０の近傍（図２中左側）の所定高さ位置には、先端にディスク１２を挟持して回転するターンテーブル３１を有する回動アーム３０が、支軸３３を中心として回動可能に設けられている。回動アーム３０のサスシャーシ３４には、光学ヘッド部３２が支軸３３とターンテーブル３１の中心とを結ぶ方向に沿って往復移動可能に設けられている。光学ヘッド部３２は、駆動モータ３５によって回転されるリードスクリュ３６と係合しており、リードスクリュ３６の回転によって移動する。
【００２８】
また、挿脱口１１の本体１３内側には、上下対を成す搬送ローラ１４が設けられており、図示省略の駆動機構により、正逆回転可能となっている。これにより、挿脱口１１に挿入されたディスク１２を搬入し、記録再生を終了したディスク１２を挿脱口１１から排出する。
【００２９】
図４に、エレベータカムギヤ５０を示す。図４に示すように、エレベータカムギヤ５０は３つの部分からなる。最上部には外径が細い軸部５２となっており、この部分は、記録再生するディスク１２よりも上側でディスク１２を待機させる上待機位置Ｔ１に対応する。ここで待機する各トレイ２０は上下移動が自由であってバネ５１（図９（Ｃ）参照）の付勢力によりスペーサ２６を介して互いに接した状態となっている。
【００３０】
エレベータカムギヤ５０の下方部の外周面にはトレイ２０が係合するカム溝５４が形成され、上部カム部５３ａ及び下部カム部５３ｂを構成する。上部カム部５３ａのカム溝５４のピッチは、下部カム部５３ｂのカム溝５４のピッチに比較して粗くなっており、が形成されている上部カム部５３ａが設けられており、この部分においては、エレベータカムギヤ５０の回転によってトレイ２０は大きく上下移動する。回動アーム３０の回動動作に干渉しないよう設ける作業空間Ｓに対応する位置となっている。
【００３１】
下部カム部５３ｂのカム溝５４のピッチは、相対的に密であり、この部分は、記録再生するディスク１２よりも下側でディスク１２が待機させる下待機位置Ｔ２に対応する。
【００３２】
エレベータカムギヤ５０はトレイ２０に複数箇所設けられている拡幅部２４のエレベータ用貫通穴２４ａに係合するように設けられており、図示省略の駆動機構により回転駆動される。したがって、エレベータカムギヤ５０の回転に伴ってディスク１２を載置するトレイ２０が上下移動するようになっている。
【００３３】
図５に、ディスクホルダ部６０を示す。ディスクホルダ部６０は、図示省略の回転機構により回転される全体円筒形状の回転部６１と、回転部６１の外側に回転可能かつ上下移動可能に支持される上側ホルダ６３及び下側ホルダ６５と、上側ホルダ６３及び下側ホルダ６５の近傍で本体１３に固定されている固定ガイド部６７とを含んで構成される。なお、図５においては、固定ガイド部６７を回転部６１から離れた位置に示しているが、実際には、図２、３、７等に示すように近接している。
【００３４】
回転部６１の外周面６１ａには、図５の展開図に示すような第１のカム溝６２が設けられ、上側ホルダ６３の内周面には、第１のカム溝６２に係合するカム突起６３ｃが設けられている。また、上側ホルダ６３の外周面６３ａには、第２のカム溝６４及びディスク１２に当接する上ホルダ部としての上ホルダ突起６３ｂが設けられている。
【００３５】
下側ホルダ６５の内周面には、第１のカム溝６２に係合するカム突起６５ｃが設けられている。また、下側ホルダ６５の外周面６５ａには、第３のカム溝６６及びディスク１２に当接する下ホルダ部としての下ホルダ突起６５ｂが設けられている。
【００３６】
本体１３側に固定されている固定ガイド部６７には、上側ホルダ６３の第２のカム溝６４に係合するカム突起である上カム突起６７ａと下側ホルダ６５の第３のカム溝６６に係合するカム突起である下カム突起６７ｂが設けられている。なお、ディスク挿脱口１１の近傍に設けられている固定ガイド部６７は、挿脱されるディスク１２との干渉を防止するため、下半分のみで構成されている。
【００３７】
したがって、上側ホルダ６３及び下側ホルダ６５は、は、回転部６１の回転にしたがって回転及び上下移動する。
【００３８】
次に、ディスク固定部について説明する。図６（Ａ）〜（Ｃ）はディスク固定部の斜視図、図７（Ａ）はディスクの固定状態を示す平面図、図７（Ｂ）はディスクの固定状態及びトレイの状態を示す断面図である。
【００３９】
図６（Ａ）〜（Ｃ）に示すように、ディスク固定部７０はディスクホルダ部６０の側面に設けられており、記録再生を行うディスク１２の下側の待機ディスク１２Ａを収納している下待機位置Ｔ２（図８（Ａ）参照）に該当する位置に設けられている。すなわち、下側ホルダ６５における記録再生時に待機ディスク１２Ａの外周面に対応する位置に押圧部材７１が設けられている。また、この押圧部材７１は樹脂で形成された片持ちばねであり、待機ディスク１２Ａに押し付けられると弾性変形して、待機ディスク１２Ａの振動を抑える程度の押圧力で押し付けられるようになっている。
【００４０】
例えば、全体で６枚のディスク１２を収納し、選択的に記録再生を行う場合には、最上段のディスク１２を記録再生する際に下待機位置Ｔ２に収納される待機ディスク１２Ａの枚数（５枚）に対応して、押圧部材７１は５個設けられている。押圧部材７１の先端は、下側ホルダ６５の外周面よりも外側に突出しており、下側ホルダ６５を回転させることにより、図７（Ａ）に示されるように、待機ディスク１２Ａの外周面を一定の弾性力で押圧して振動を防止する。また、図７（Ｂ）に示すように、下待機位置Ｔ２にあるトレイ２０は、隣接する押圧部材７１の間に把持されるので、トレイ２０の振動を防止することができる。
【００４１】
以上のように構成されたディスク装置１０の動作を、図８及び図９を用いて説明する。図の例は、トレイ２０に載置された全部で６枚のディスク１２のうち、下から４枚目のディスク１２に記録再生を行う場合の動作である。ディスク装置１０は、６枚のディスク１２を載置可能であり、最上段の蓋の役目を果たすトレイ２０ａを含めて７枚のトレイ２０を有する。そして、最上段のトレイ２０ａは、本体１３の底部１３ａに取り付けられているバネ５１によって常時下方に付勢されている。
【００４２】
図８（Ａ）に示すように、ディスク１２を載置した全て（ここでは６枚）のトレイ２０が作業空間Ｓの上方に待機している場合、各トレイ２０は、ばね５１（図８では図示せず）によって下方に付勢されているので、載置されているディスク１２はガタつかないようになっている。この状態でエレベータカムギヤ５０を回転させると、一番下のトレイ２０が上部カム部５３ａのカム溝５４に係合して、下降する。このとき、ディスクホルダ部６０の上側ホルダ６３及び下側ホルダ６５は、上ホルダ突起６３ｂ及び下ホルダ突起６５がディスク１２側に突出しない位置にある。さらにエレベータカムギヤ５０を回転させることにより、下から３枚のトレイ２０を下降させる。
【００４３】
次いで、図８（Ｂ）に示すように、下側ホルダ６５を回転させて下ホルダ突起６５ｂをディスク１２側に突出させ、下から４枚目のトレイ２０に収納されている記録再生を行うディスク１２の下降を阻止する。このとき、図８（Ｃ）に示すように、エレベータカムギヤ５０の回転により４枚目のトレイ２０を急速度で下降させると共に、ディスクホルダ部６０の下側ホルダ６５を上昇させて５枚目以降のトレイ２０の下降を阻止する。これにより、止められたディスク１２の下方には、作業空間Ｓが形成され。この状態で、図８（Ｄ）に示すように、回動アーム３０を回動させて記録再生位置に位置決めする。
【００４４】
続いて、図９（Ａ）に示すように、上側ホルダ６３を回転させて、上ホルダ突起６３ｂと下ホルダ突起６５ｂとで記録再生するディスク１２の上下移動を阻止し、図９（Ｂ）に示すように、両ホルダ６３、６５を下降させてディスク１２をターンテーブル３１の上に載置してセットする。その後、図９（Ｃ）に示すように、上側ホルダ６３を上昇させると共に下側ホルダ６５を下降させて、ディスク１２を解放し、さらに下側ストッパ６５を回転させて、ディスク固定装置７０の押圧部材７１によって待機ディスク１２Ａを固定して、記録再生動作を行う。なお、記録再生動作を終了して、ディスク１２を上方に収納する場合には、前述した工程を逆に実行することにより、図８（Ａ）に示すような収納状態に戻ることができる。
【００４５】
このような上側ホルダ６３及び下側ホルダ６５の動きは、回転部６１の外周に形成されたカム溝６２とカム溝６２に係合する上ホルダ突起６３ｂ及び下ホルダ突起６５、上側ホルダ６３及び下側ホルダ６５の外周に形成された第２のカム溝６４及び第３のカム溝６６に係合する固定ガイド部６７の突起６７ａ及び６７ｂによって実現される。また、下降させるディスク１２の枚数は、エレベータカムギヤ５０の回転量によって制御できる。
【００４６】
以上のように、エレベータカムギヤ５０がトレイ２０を上下移動させることによって、所望のディスク１２をディスクホルダ部６０で選択し、選択したディスク１２を回動アーム３０のターンテーブル３１に載置するので、トレイ１２に回動アーム３０との干渉を回避するための切欠きを設ける必要がなくなる。これにより、トレイ２０の剛性を確保することができるので、トレイ２０の変形を防止してできるとともに、小型化が図れる。また、選択されたディスクの上方で待機するディスクを重ねた状態としているので、スペース効率が向上し、この点でも小型化が図れる。
【００４７】
また、所望のディスク１２より下側にある待機ディスク１２Ａの外周面にディスク固定部７０の押圧部材７１を押し付けることによりにより固定されるので、ディスク１２の記録再生時に待機ディスク１２Ａの移動を抑えることができる。
【００４８】
なお、以上の説明では、エレベータカムギヤ５０として、軸部５２、上部カム部５３ａ、下部カム部５３ｂが一体に構成し、全体として回転するものとしたが、軸部５２を固定部材として設け、この軸部５２の周りに回転駆動される上部カム部５３ａ及び下部カム部５３ｂを設けることも可能である。
【００４９】
また、ディスク固定部７０をディスクホルダ部６０の側面に設け、ディスクホルダの数だけ設けたが、別体で設けてもよいし、数も任意である。例えば、ディスク固定部７０が１個でも、ディスク固定部７０のディクス直径方向対向側にディスクを固定する部材を配置すれば、ディスクの固定は可能である。
【００５０】
また、以上の説明では、ディスク固定部７０をディスクホルダ部６０の下側ホルダ６５の外周に設けたが、上側ホルダ６３の外周に設けても、両方に設けてもよい。上側ホルダ６３の外周に設けた場合は、積層方向上方の待機ディスクが固定される。
【００５１】
次に、待機ディスクの保持穴を固定する保持穴固定部について説明する。図１０及び図１１に、保持穴固定部４０を示す。図１０に示すように、保持穴固定部４０は本体１３の底部１３ａにおける中央部（図２参照）、すなわち本体１３に収納されているディスク１２の保持穴１２ａに対応して設けられており、保持穴１２ａの内部を貫通可能な大きさとなっている。また、ディスク保持装置４０は、待機位置Ｔ１に収まる高さを有しており、回動する回動アーム３０に干渉しないように、回動アーム３０のサスシャーシ３４の底面よりも若干低めに形成されている。
【００５２】
保持穴固定部４０は、ディスク１２の保持穴１２ａの内径よりも小さな外径の円柱状の固定部本体４１を有しており、固定部本体４１の一部には切欠き部４１ａが設けられている。また、固定部本体４１の外周面には、保持穴１２ａとの密着を防止するための凸部４１ｂが複数箇所設けられている。固定部本体４１の内部には図示省略の回転駆動機構により回転される回転体４２が設けられており、固定部本体４１の切欠き部４１ａに対応する位置には凹部４２ａが設けられている。凹部４２ａは、円形の回転体４２から半径が減少する方向にテーパ状に設けられており、一方の端部は外周面上にあって他方の端部は内側に大きく切り込まれている。
【００５３】
固定部本体４１の切欠き部４１ａと回転体４２の凹部４２ａは対応する位置にあり、両部分に跨る楔状部材４３が支軸４３ａを中心として回動自在に設けられている。この楔状部材４３は、支軸４３側端部から他方の端部に向かって厚さが増加するようにテーパが付けられている。また、楔状部材４３は、図示省略の付勢手段により常時内側に付勢されており、収納状態では外周面が固定部本体４１の外周面から少なくとも突出しないような略円状となっている。
【００５４】
したがって、図１１に示すように、ディスク固定状態では、回転体４２が固定部本体４１に対して時計方向に回転すると、楔状部材４３の外周面が固定部本体４１の外周面から外側に突出して、待機ディスク１２Ａの保持穴１２ａの内周面に押し付けられることになる。これにより、待機ディスク１２Ａの振動を防止することができる。
【００５５】
保持穴固定部４０は、ディスク固定部７０と共用してもよいし、単独で用いてもよい。保持穴固定部４０によって積層方向下方の待機ディスクを固定し、上側ホルダ６３の外周にディスク固定部７０を設けることによって、両側の待機ディスクを固定することができる。
【００５６】
なお、以上の説明では、保持穴固定部４０を専用のものとして説明したが、回動アーム３０の先端部を支持する支持装置と兼用することができる。図１２に、支持装置と兼用する保持穴固定部を示す。図１２（Ａ）、（Ｂ）に示すように、支持装置８０は、記録再生時に下方から上方に伸びてきて回動アーム３０の先端部を支持する。この場合に、支持装置８０と前述した保持穴固定部４０とが同じ位置に設けられることになるので、保持穴固定部４０の中央部に支持装置８０を設けるようにすることができる。すなわち、ディスク１２の保持穴１２ａの内径よりも小さな外径を有する支持板８１を昇降部材８２により持上げることができるようにする。これにより、記録再生時に回動アーム３０の振動を防止して、正常な記録再生を確実にすることができる。
【産業上の利用可能性】
【００５７】
以上のように、本発明のディスク装置は、待機ディスクの外周面を押圧する押圧部材を利用することにより、待機ディスクの移動を抑えることができ、騒音の発生、記録再生動作のミス等の発生を防止できる多連奏型のディスク装置等として有用である。
【図面の簡単な説明】
【００５８】
【図１】本発明の実施形態のディスク装置を内蔵するカーオーディオ装置の全体斜視図
【図２】本発明の実施形態のディスク装置の待機時における要部上面図
【図３】本発明の実施形態のディスク装置の再生時における要部上面図
【図４】本発明の実施形態のディスク装置のエレベータカムギヤの正面図
【図５】本発明の実施形態のディスク装置のディスクホルダ部の説明図（２周展開図）
【図６】本発明の実施形態のディスク装置のディスク固定部を示す斜視図
【図７】本発明の実施形態のディスク装置のディスクの固定状態及びトレイの状態を示す図
【図８】本発明の実施形態のディスク装置の動作を説明する図
【図９】本発明の実施形態のディスク装置の動作を説明する図
【図１０】本発明の実施形態のディスク装置のディスク開放時の保持穴固定部を示す平面図及び正面図
【図１１】本発明の実施形態のディスク装置のディスク固定時の保持穴固定部を示す平面図及び正面図
【図１２】本発明の実施形態のディスク装置の保持穴固定部と兼用する回動アーム支持装置の断面図
【符号の説明】
【００５９】
１０  ディスク装置
１２  ディスク
２０  トレイ
３０  回動アーム
３２  光学ヘッド部
４０  保持穴固定部
４３  楔状部材（固定部材）
５０  エレベータカムギヤ（昇降用カム体）
５４  カム溝
６０  ディスクホルダ部
６１  回転部
６１ａ  外周面
６２  第１のカム溝
６３  上側ホルダ
６３ａ  外周面
６３ｂ  上ホルダ突起（上ホルダ部）
６３ｃ  上カム突起（カム突起）
６４  第２のカム溝
６５  下側ホルダ
６５ａ  外周面
６５ｂ  下ホルダ突起（下ホルダ部）
６５ｃ  下カム突起（カム突起）
６６  第３のカム溝
６７  固定ガイド（固定体）
６７ａ  上カム突起（カム突起）
６７ｂ  下カム突起（カム突起）
７０  ディスク固定部
７１  押圧部材
８０  支持装置
８１  支持板
８２  昇降部材
【図１】
2006202385.tif 000003
【図２】
2006202385.tif 000004
【図３】
2006202385.tif 000005
【図４】
2006202385.tif 000006
【図５】
2006202385.tif 000007
【図６】
2006202385.tif 000008
【図７】
2006202385.tif 000009
【図８】
2006202385.tif 000010
【図９】
2006202385.tif 000011
【図１０】
2006202385.tif 000012
【図１１】
2006202385.tif 000013
【図１２】
2006202385.tif 000014